(57)【要約】【課題】            包装袋の開封において、手で容易に開封することができて、開封した際には内容物が取り出し易く、手も汚さない包装袋を、安価に提供する。【解決手段】        フィルムＡとフィルムＢとが重ねられて一辺が開口部となり、他の周辺部が剥離可能な接着部でシールされてなる包装袋であって、  前記接着部のうち一辺の接着部は、端部より所定幅内側に位置して設けることにより所定幅の非接着部が形成され、この非接着部のフィルムＡおよびＢを剥離用摘み片とし、  この剥離用摘み片の、一方の剥離用摘み片を一方の手で押さえ、他方の剥離用摘み片を他方の手で剥がすことでフィルムＡとＢとが剥離可能となっている。【選択図】          図１
0003115252.tif 000002
【実用新案登録請求の範囲】
【請求項１】
フィルムＡとフィルムＢとが重ねられて一辺が開口部となり、他の周辺部が剥離可能な接着部でシールされてなる包装袋であって、
前記接着部のうち一辺の接着部は、端部より所定幅内側に位置して設けることにより所定幅の非接着部が形成され、この非接着部のフィルムＡおよびＢを剥離用摘み片とし、
この剥離用摘み片の、一方の剥離用摘み片を一方の手で押さえ、他方の剥離用摘み片を他方の手で剥がすことでフィルムＡとＢとが剥離可能となっていることを特徴とする包装袋。
【請求項２】
前記剥離用摘み片は、開口部が形成された一辺の、対称位置である反対側の辺に形成されていることを特徴とする請求項１記載の包装袋。
【請求項３】
前記剥離用摘み片の一方と他方は、端部が互いにずれて形成されていることを特徴とする請求項１または２記載の包装袋。
【請求項４】
前記剥離用摘み片の一方および／または他方には、切欠が設けられていることを特徴とする請求項１乃至３のいずれかに記載の包装袋。
【考案の詳細な説明】
【技術分野】
【０００１】
この考案は、包装袋の開封において手で容易に開封することができて、開封した際には内容物の取り出しやすい、食品類などの包装に適した包装袋に関する。
【背景技術】
【０００２】
従来、手で開封できる密封袋として、熱シールされた端部にノッチ等を設け、それを起点として袋を引き裂いて開封するものがある（例えば、特許文献１参照）。このタイプは、袋の表裏のフィルムを引き裂く時に、表裏のフィルム間に存在する内容物（商品）がその２枚のフィルムに挟まれたままで引き裂かれ、変形したり破損したりする課題がある。また、トレー入りの内容物を密封した袋を、ノッチから袋を引き裂いて開封する際には、開封の引き裂き片がトレーに引っ掛かり、スムーズに開封できない課題がある。
そこで、このような課題を解決するものとして、２ヶ所の平行するノッチを設け、この２ヶ所のノッチの間を指で摘んで帯状片に引き裂くものが提案されている（例えば、特許文献２および３参照）。
また、袋の熱シール部を易剥離性として、シール部を剥離して開封する密封袋も提供されている（例えば、特許文献４および５参照）。
【０００３】
【特許文献１】実開平６−７９２９１号公報（請求項１、図１）
【特許文献２】特開平１０−２３０９７１号公報（請求項２、図１）
【特許文献３】特開２００１−５５２４８号公報（請求項３、図１）
【特許文献４】特開２０００−１７７０８０号公報（０００１、０００５、０００６）
【特許文献５】実願平３−６１４６２号のマイクロフィルム（００１１、図２）
【考案の開示】
【考案が解決しようとする課題】
【０００４】
しかし、前記２ヶ所の平行するノッチを設け、この２ヶ所のノッチの間を指で摘んで帯状片に引き裂くものは、袋のフィルムとして一方向直線切断性を有する樹脂フィルムを使用しなければならない制約があるし、接着部（シール部）で引き裂きが阻害され、スムーズな開封ができない課題がある。従って、接着部は弱接着としなければならず、そのため使用する樹脂フィルムには、前記一方向直線切断性の他に弱接着性も求められる。
また、袋の熱シール部を易剥離性としたものとして、例えば、ポテトチップ等のピロータイプの袋があるが、このものは袋の表裏のフィルムを指で摘んで互いに反対方向に引っ張ることによってシール部を剥離し、開封するが、必ずしも容易にきれいに開口できないし、力を入れて開口するため開口した際に内容物（ポテトチップ）が飛び出したり、零れ落ちたりする課題がある。また、従来の袋の熱シール部を易剥離性としたものは、例えば、深絞り真空包装機のような包装機によって商品が容入された密封袋として製造されるため、設備に莫大な費用が必要となる課題がある。さらに、従来の袋の熱シール部を易剥離性としたものは、開封時の摘み代が充分でないために手指の力がかけずらく、開封し難い課題もある。
また、従来の易剥離性の包装袋は、開封した際、内容物によっては手が汚れる場合があった。
【０００５】
この考案は、このような課題を解決せんと提案されたものであり、その目的は、包装袋の開封において、手で容易に開封することができて、開封した際には内容物が取り出し易く、手も汚さない包装袋を、安価に提供することにある。
【課題を解決するための手段】
【０００６】
前記課題を解決するため、この考案の包装袋は、フィルムＡとフィルムＢとが重ねられて一辺が開口部となり、他の周辺部が剥離可能な接着部でシールされてなる包装袋であって、
前記接着部のうち一辺の接着部は、端部より所定幅内側に位置して設けることにより所定幅の非接着部が形成され、この非接着部のフィルムＡおよびＢを剥離用摘み片とし、
この剥離用摘み片の、一方の剥離用摘み片を一方の手で押さえ、他方の剥離用摘み片を他方の手で剥がすことでフィルムＡとＢとが剥離可能となっていることを特徴とする。
これにより包装袋は、接着部が剥離可能にシールされており、かつ、一片が所定幅の非接着部で剥離用摘み片となり、摘み代も充分にあるので、剥離用摘み片となっている部分のフィルムＡおよびＢの、一方のフィルム（摘み片）を一方の手（指）で押え、他方のフィルム（摘み片）を他方の手で剥がすことによって容易に開封することができる。この開封は一方の摘み片であるフィルムを一方の手に持ち、他方の摘み片であるフィルムを他方の手に持ち、互いに拡く方向に引っ張ることで開封することも含む。この後者の開封では内容物により手を汚す場合もあるので、内容物によっては、テーブル等に載置し一方の手で一方の摘み片部分のフィルムを押さえ、他方の手で他方の摘み片部分のフィルムを剥がすと、開封されたまま内容物が一方のフィルム上にのってテーブル等に載置されたままの状態となるので、手などを汚さず開封できるので好ましい。
また、この考案では包装袋の開口部より商品を容入し、開口部を密封するだけで商品を容入した密封袋とすることができるので、高価な包装機を設ける必要もなく、包装袋を用意すればよいので安価であり、容易に採用することができる。
なお、この考案で剥離可能な接着部は、熱シールが弱接着フィルム（イージーオープンフィルム）を使用することにより可能となる。
【０００７】
また、この考案の包装袋の前記剥離用摘み片は、開口部が形成された一辺の、対称位置である反対側の辺に形成されていることを特徴とする。
これにより前記作用、効果の他に開口部が商品容入後に剥離不可の強固にシールされても、影響されずに容易に開封することができる。
【０００８】
さらに、この考案の包装袋の前記剥離用摘み片部分のフィルムＡとＢは、端部が互いにずれて不揃いに形成されていることを特徴とする。
また、この考案の包装袋の前記剥離用摘み片には、切欠が設けられていることを特徴とする。
この上記考案によれば、剥離用摘み片部分においてフィルムＡおよびＢを分離し易く、摘み片を分離して手での剥離操作が容易となる。
【考案の効果】
【０００９】
この考案の包装袋によれば、次のような効果を奏する。
（１）包装袋の開口部より商品を容入し、開口部を密封するだけで商品を容入した密封袋とすることができるので、高価な包装機を設ける必要もなく、包装袋を用意すればよいので安価に済む。また、安価なので採用も容易となる（請求項１）。
（２）包装袋は、接着部が剥離可能にシール（熱シール）されており、かつ、シールされた接着部の一辺が、所定幅の非接着部で剥離用摘み片に形成され、摘み代も充分にあるので、剥離用摘み片となっている部分のフィルムＡおよびＢの、一方のフィルム（摘み片）を一方の手で押さえ、他方のフィルム（摘み片）を他方の手で剥離することによって容易に開封することができる（請求項１）。
【００１０】
（３）テーブル等に載置して開封すると、開封されたまま内容物（商品）が一方のフィルム上にのってテーブル等に載置されたままの状態となるので、手などを汚さずに開封できる（請求項１）。
（４）剥離用摘み片が、開口部の形成された一辺の、対称位置である反対側の辺に形成されているので、開口部が商品容入後に剥離不可に強固にシールされても、影響されずに容易に開封することができる（請求項２）。
（５）剥離用摘み片部分のフィルムＡとＢの端部が、互いにずれて形成されていたり、剥離用摘み片に切欠が設けられているので、剥離用摘み片部分のフィルムＡおよびＢを分離し易く、摘み片を分離して手での剥離操作が容易である（請求項３、４）。
【考案を実施するための最良の形態】
【００１１】
以下、この考案の実施の形態を図面について詳細に説明する。図１はこの考案の実施の形態を示す包装袋の斜視図、図２は図１Ｘ−Ｘ線断面図である。
この包装袋１は、フィルムＡ２とフィルムＢ３とが重ねられて一辺が開口部４となり、他の周辺部が剥離可能な接着部５ａ、５ｂ、５ｃでシールされてなり、前記接着部５ａ、５ｂ、５ｃのうち一辺の接着部５ｃは、端部より所定幅内側に位置して設けることにより所定幅の非接着部６が形成され、この非接着部６のフィルムＡ２とフィルムＢ３を剥離用摘み片７Ａ、７Ｂとし、この剥離用摘み片７Ａ、７Ｂの、一方の剥離用摘み片、例えば、７Ｂを一方の手で押さえ、他方の剥離用摘み片、例えば７Ａを他方の手で剥がすことでフィルムＡ２とＢ３とが剥離可能となっている。
【００１２】
本例のフィルムＡ２とフィルムＢ３とは、同寸法の長方形となっており、これが重ねられて三方の周辺部が剥離可能な接着部５ａ、５ｂ、５ｃでシールされることによって、長方形の包装袋１に形成されている。接着部５ａ、５ｂ、５ｃのうち一辺の接着部５ｃは、端部より所定幅内側に位置して設けられ、端部より所定幅の非接着部６が形成され、この非接着部６のフィルムＡ２とフィルムＢ３を剥離用摘み片７Ａ、７Ｂとするので、前記所定幅は摘み代となる。従って、所定幅は適宜であるが、余り狭いと摘み代が不充分となり手指の力がかけずらく開封し難く、広いと摘み代が充分となり開封が容易となるが、不必要に広いとその分材料（フィルム）を多く必要とするので経済性に影響する。所定幅はこれらの点を考慮して決定するのがよい。例えば、所定幅として１５ｍｍ〜２５ｍｍを好ましい幅として例示することができる。また、この所定幅の非接着部６の形成は、従来公知の手段で形成できる。一例として製袋シールバーを加工して熱シールしない方法や非接着部とする部分に熱接着しないような特殊な印刷加工を施す方法等を例示できる。
【００１３】
前記非接着部６で形成する剥離用摘み片７Ａ、７Ｂは、開口部４と対称位置である反対側の辺に形成すると、開口部４が商品容入後に剥離不可の強固なシールにされても、影響されずに容易に開封することができるので好ましい。例えば、接着部５ａまたは５ｂの設けられている辺に剥離用摘み片７Ａ、７Ｂを設けると、開口部４が強固なシールの場合には、開封は可能であるが影響を受ける。
【００１４】
また、剥離可能な接着部５ａ、５ｂ、５ｃの形成も、従来公知の手段を採用し得る。例えば、剥離可能な接着部５ａ、５ｂ、５ｃは、熱シールすることによって封着力を発現すると共に、易開封性（易剥離性）を有する樹脂フィルム（弱接着フィルム）を使用することによって実現できる。ここで、易開封性（易剥離性）とは、流通過程等では剥離、破損しない封着力を有するが、手などの剥がす外力を加えることにより開封（剥離）可能なものを指す。
このような易開封性の樹脂フィルムは、既に提供されているものを使用し得る。例えば、特開２０００−１７７０８０号、特開平１０−２６４３３０号および特開平３−２８８６４２号等で提案された樹脂フィルムを採用し得る。熱シールすることによって封着力を発現すると共に、易開封性（易剥離性）を有する樹脂フィルムとして、特開２０００−１７７０８０号には、特定組成の改質オレフィン系樹脂を含有する樹脂組成物の層を有する積層フィルムが記載され、特開平１０−２６４３３０号には、易開封性共押出複合フィルムが記載され、特開平３−２８８６４２号には、易開封性ポリプロピレンフィルムが記載されている。
【００１５】
しかして、前記包装袋１には、図３に示すように開口部４から商品１０を容入し、その後、図４に示すように開口部４を熱シールして接着部５ｄとすることによって、商品１０の容入した密封袋とすることができる。従って、包装袋１を用意することにより、商品１０を包装袋１で密封し、保存、販売等ができるので、高価な包装機を設置する必要もなく、安価に提供できる。
また、この包装袋１によれば、開封するときは図５（ａ）（ｂ）に示すように一方の剥離用摘み片７Ｂを一方の手で押さえ、他の剥離用摘み片７Ａを他方の手で剥がすことによって、フィルムＢ３からフィルムＡ２を容易に剥離して開封することができる。このような開封状態では、例えば、包装袋１をテーブルに載置して開封すると、開封されたまま商品（内容物）が一方のフィルム上にのってテーブルに載置されたままの状態となるので、手などを汚さずに開封できる。しかし、開封方法は、この開封方法に制限されるものではない。例えば、図６に示すように一方の剥離用摘み片７Ｂを一方の手に持ち、他方の剥離用摘み片７Ａを他方の手に持ち、互いに拡く方向に引っ張ることで開封することも含むものである。
【００１６】
このように包装袋１は、開封する時は、剥離用摘み片７Ａ、７Ｂを分離して手で剥離操作する必要がある。しかし、この剥離用摘み片７Ａ、７Ｂも樹脂フィルムで形成されているので、剥離用摘み片７Ａ、７Ｂが密着して分離しにくい場合がある。従って、剥離用摘み片７Ａ、７Ｂには、分離し易くする手段を設けるのが好ましい。図７はこのような分離し易くする手段を例示した斜視図であり、（ａ）は、剥離用摘み片の一方７Ａと他方７Ｂの端部を互いにずらし不揃いに形成した場合であり、（ｂ）は一方の剥離用摘み片７Ａの隅角部を切欠８した場合であり、（ｃ）は一方の剥離用摘み片７Ａの中央に指をかける切欠９を設けた場合である。このような分離し易くする手段を設けることによって、剥離用摘み片７Ａ、７Ｂを分離し易く、摘み片７Ａ、７Ｂを分離して手での剥離操作が容易となるので好ましい。
【００１７】
また、剥離用摘み片７Ａ、７Ｂが形成されている箇所の接着部５ｃも、剥離容易な接着形状とするのが、大きい剥離力を必要とせずに剥離できるので好ましい。図８はこのような剥離容易な接着形状を例示した斜視図であり、（ａ）は、接着部５ｃの接着形状を波形（ノコギリ歯）形状とした場合であり、（ｂ）は接着部５ｃの接着形状を山形（半円状も含む）形状としたものである。このようにすると接着部５ｃの全体の剥離力ではなく、接着部５ｃの一部の剥離力だけで剥離できるので、小さな力で剥離することができる。
また、剥離用摘み片７Ａ、７Ｂの形状も、接着部５ｃの剥離を容易とする形状が好ましい。図９はこのような剥離を容易とする剥離用摘み片の形状を例示したものであり、（ａ）は、剥離用摘み片７Ａ、７Ｂの端縁の形状を円弧状とし、これに合せ接着部も円弧状とした場合であり、（ｂ）は、剥離用摘み片７Ａ、７Ｂに一側端に突片１０を設けた場合である。
【００１８】
なお、前記実施の形態は、この考案を制限するものではなく、この考案は要旨を逸脱しない範囲内において、種々の変形が許容される。
【図面の簡単な説明】
【００１９】
【図１】この考案の実施の形態を示す包装袋の斜視図である。
【図２】図１のＸ−Ｘ線断面図である。
【図３】包装袋に商品を容入する様子を示す斜視図である。
【図４】商品を容入し密封した状態の包装袋を示す斜視図である。
【図５】開封方法を工程順（ａ）（ｂ）に示す斜視図である。
【図６】別の開封方法を示す斜視図である。
【図７】剥離用摘み片を分離し易くする手段を例示（ａ）（ｂ）（ｃ）する斜視図である。
【図８】剥離容易な接着部の接着形状を例示（ａ）（ｂ）する斜視図である。
【図９】剥離容易な剥離用摘み片の形状を例示（ａ）（ｂ）する斜視図である。
【符号の説明】
【００２０】
１  包装袋
２  フィルムＡ
３  フィルムＢ
４  開口部
５ａ、５ｂ、５ｃ、５ｄ  接着部（シール部）
６  非接着部
７Ａ、７Ｂ  剥離用摘み片
８、９  切欠
１０  商品（内容物）
【図１】
0003115252.tif 000003
【図２】
0003115252.tif 000004
【図３】
0003115252.tif 000005
【図４】
0003115252.tif 000006
【図５】
0003115252.tif 000007
【図６】
0003115252.tif 000008
【図７】
0003115252.tif 000009
【図８】
0003115252.tif 000010
【図９】
0003115252.tif 000011